(57)【要約】【課題】消費電力の増加を抑えつつ、動作モードを自動的に設定できる携帯端末装置を提供する。【解決手段】複数のモードのうちのいずれかのモードに選択的に切替えられる端末装置本体２０と、所定の外部装置との間で無線通信を行うものであって、無線通信による給電にて動作する制御通信部１０とを備え、端末装置本体２０は、モードの切替えタイミングの到来を監視するためのタイマ部５０と、端末装置本体２０が起動された場合であってタイマ部５０にて切替えタイミングが到来したと判断された場合に端末装置本体２０を所定モードから解除する本体側制御部３０とを有し、制御通信部１０は、モードの切替えタイミングを特定するための時間情報を外部装置から受信する通信処理部１１と、通信処理部１１にて受信された時間情報に基づいて、端末装置本体２０が起動された場合にタイマ部５０による切替えタイミングの到来を監視可能とするための所定制御を行う。【選択図】        図２
2006025158.tif 000002
【特許請求の範囲】
【請求項１】
携帯端末装置であって、
複数のモードのうちのいずれかのモードに選択的に切替えられる端末装置本体と、
所定の外部装置との間で無線通信を行うものであって、当該無線通信による給電にて動作する通信手段とを備え、
前記端末装置本体は、前記モードの切替えタイミングの到来を監視するためのタイマ手段と、当該端末装置本体が起動された場合であって前記タイマ手段にて前記切替えタイミングが到来したと判断された場合に当該端末装置本体を所定モードから解除する本体側制御手段とを有し、
前記通信手段は、前記モードの切替えタイミングを特定するための時間情報を前記外部装置から受信する受信手段と、前記受信手段にて受信された時間情報に基づいて、前記端末装置本体が起動された場合に前記タイマ手段による前記切替えタイミングの到来を監視可能とするための所定制御を行う通信側制御手段とを有すること、
を特徴とする携帯端末装置。
【請求項２】
前記端末装置本体の起動状態に関わらず動作するものであって、現在時刻情報を出力する時刻情報出力手段と、情報を記憶する記憶手段とを備え、
前記受信手段は、前記時間情報として、当該時間情報を受信してから前記所定モードを保持する時間を示す猶予時間情報を受信し、
前記通信側制御手段は、前記受信手段にて受信された前記猶予時間情報を前記記憶手段に記憶させると共に、前記時間情報を受信した時点における前記現在時刻情報である受信時刻情報を前記時刻情報出力手段から取得して前記記憶手段に記憶させ、
前記本体側制御手段は、前記端末装置本体が起動された場合に、前記記憶手段から前記猶予時間情報及び前記受信時刻情報を取得すると共に、前記起動が行われた時点における前記現在時刻情報である起動時刻情報を前記時刻情報出力手段から取得し、前記タイマ手段にて監視されるタイマ情報を前記猶予時間情報、前記受信時刻情報、及び、前記起動時刻情報に基づいて算定し、前記タイマ情報に基づいて前記タイマ手段による監視条件の設定を行うこと、
を特徴とする請求項１に記載の携帯端末装置。
【請求項３】
前記端末装置本体の起動状態に関わらず動作するものであって、現在時刻情報を出力する時刻情報出力手段と、情報を記憶する記憶手段とを備え、
前記受信手段は、前記時間情報として、前記所定モードの解除を許容する時刻を示す解除時刻情報を受信し、
前記通信側制御手段は、前記受信手段にて受信された前記解除時刻情報を前記記憶手段に記憶させ、
前記本体側制御手段は、前記端末装置本体が起動された場合に、前記記憶手段から前記解除時刻情報を取得すると共に、前記起動が行われた時点における前記現在時刻情報である起動時刻情報を前記時刻情報出力手段から取得し、前記タイマ手段にて監視されるタイマ情報を前記解除時刻情報及び前記起動時刻情報に基づいて算定し、前記タイマ情報に基づいて前記タイマ手段による監視条件の設定を行うこと、
を特徴とする請求項１に記載の携帯端末装置。
【請求項４】
前記受信手段は、前記時間情報として、当該時間情報を受信してから前記所定モードを保持する時間を示す猶予時間情報を受信し、
前記通信側制御手段は、前記受信手段にて受信された前記猶予時間情報を前記タイマ情報として前記タイマ手段に監視させ、
前記本体側制御手段は、前記端末装置本体が起動された場合に、前記タイマ手段にて前記切替えタイミングが到来したと判断された場合に当該端末装置本体を所定モードから解除すること、
を特徴とする請求項１に記載の携帯端末装置。
【請求項５】
前記端末装置本体の起動状態に関わらず動作するものであって、情報を記憶する記憶手段を備え、
前記受信手段は、前記時間情報として、当該時間情報を受信してから前記所定モードを保持する時間を示す猶予時間情報を受信し、
前記通信側制御手段は、前記受信手段にて受信された前記猶予時間情報を前記記憶手段に記憶させると共に、当該猶予時間情報が記憶された旨を示す情報を前記記憶手段に設定した後、前記本体側制御手段を起動させ、
前記本体側制御手段は、前記端末装置本体が起動された場合に、前記猶予時間情報が記憶された旨の情報が前記記憶手段に設定されている場合には、前記記憶手段にて記憶されている前記猶予時間情報を前記タイマ情報として前記タイマ手段に監視させると共に、前記猶予時間情報が記憶された旨の情報に代えて所定の初期値を前記記憶手段に設定すること、
を特徴とする請求項１に記載の携帯端末装置。
【請求項６】
前記通信側制御手段は、受信した前記時間情報が、当該受信時点において前記記憶手段に記憶されている前記時間情報と等価である場合に、当該受信した前記時間情報を前記記憶手段に記憶させないこと、
を特徴とする請求項２、３、又は、５に記載の携帯端末装置。
【請求項７】
前記通信手段は、前記モードの解除を行う旨の強制解除情報を前記外部装置から受信し、
前記本体側制御手段は、前記通信手段にて前記強制解除情報が受信された場合には、前記タイマ手段による監視状態に関わらず、前記所定モードを強制的に解除すること、
を特徴とする請求項１〜６のいずれか一つに記載の携帯端末装置。
【発明の詳細な説明】
【技術分野】
【０００１】
この発明は、携帯端末装置に関し、特に、複数のモードのうちのいずれかのモードに選択的に切替えられる携帯端末装置に関する。
【背景技術】
【０００２】
携帯電話やＰＤＡ（Personal Digital Assistant）等の携帯端末の普及に伴い、このような携帯端末を公共の場所で使用する際のマナーや安全性が問題となっている。このような問題を解決するために、携帯端末のユーザが自主的にその機能を制限できるよう、その動作モードを手動で切替えることができる携帯端末が広く利用されている。例えば、携帯電話のユーザは、電車や映画館等の所定の場所に入場する際に、携帯電話をいわゆるマナーモードへ手動で切替え、着信音が出力されない状態にすることができる。そして、ユーザは、所定の場所から退場した時に、携帯電話のマナーモードを手動で解除し、着信音が出力される状態に復帰させることができる。しかしながら、携帯端末の所定のモードへの切替えを手動で行うことは面倒であり、また、切替え忘れが発生することを防止することは困難である。このような観点から、携帯端末の機能を自動的に制限するような制御システムが要望されていた。
【０００３】
さらに、最近の高付加価値化によって、携帯端末にカメラ機能を持たせたものが普及してきている。例えば、カメラ機能を有する携帯端末を用いることにより、様々な場所での静止画又は動画の撮影が可能である。このような場合、セキュリティの観点からも、携帯端末の機能を自動的に制限するような制御システムを設けることが好ましい。
【０００４】
このような要求に対し、従来から、非接触式のＩＣカードを備えた携帯電話機が提案されていた（例えば、特許文献１参照）。このような携帯電話機によれば、ＩＣカードを用いて外部装置との間で通信を行うことによって、端末装置本体を所定のモードへ自動的に切替えることができる。
【０００５】
このような従来の非接触ＩＣカードを備えた携帯電話機の構成と処理について、より具体的に説明する。この携帯電話機は、ＩＣカードと携帯電話機本体とを備え、この携帯電話機本体は、時間を測定するタイマと、このタイマの設定と携帯電話機本体を所定のモードへ切替えるための設定とを行う制御部とを備える。このような構成において、携帯電話機本体の電源をＯＮの状態にしたまま、ユーザが携帯電話機を持って入場ゲートを通過した場合、この入場ゲートに設けられた外部装置から、所定のタイマ時間を含んだ制御信号が送信され、この制御信号がＩＣカードによって受信される。このように制御信号が受信されると、制御部は、この制御信号に含まれるタイマ時間をカウントダウンするようにタイマを起動すると共に、携帯電話機本体を所定のモード、例えば、マナーモードに切替える。その後、タイマがタイムアウトすると、これを受けた制御部が、携帯電話機本体の動作モードを、入場ゲート通過前のモードに復帰させる。このような携帯電話機によれば、入場時には携帯電話機本体のモードを所定モードに自動的に切替えることができ、所定時間経過後には以前のモードに自動的に復帰させることができるので、ユーザの手動による切替えミス等を防止できる可能性がある。
【０００６】
【特許文献１】特開２００３−６９６７０号公報
【発明の開示】
【発明が解決しようとする課題】
【０００７】
しかしながら、上述したＩＣカードを備えた携帯電話機では、依然として、一定の状況下では自動的なモード切替えを行うことができないという問題があった。例えば、入場ゲート通過時に携帯電話機本体の電源がＯＦＦになっている場合、ＩＣカードは、携帯電話機本体とは別の電源、例えば、外部装置との通信による電磁誘導にて動作可能であるが、携帯電話機本体の各部は稼動できない。このため、ＩＣカードが外部装置から制御信号を受信しても、携帯電話機本体のタイマを起動させることや携帯電話機本体を所定モードに自動的に切替えること等ができなかった。そのため、ユーザが、入場ゲート通過時に携帯電話機の電源をＯＦＦにしておき、入場ゲート通過後に電源をＯＮにした場合、携帯電話機の機能を自動的に制限することができず、携帯電話機が自由に使用されてしまう等、マナーやセキュリティ上の問題点を解消できなかった。
【０００８】
ここで、このような不具合を解決するには、携帯電話機本体の電源がＯＦＦの場合であっても、その制御部に常に電源を供給しておけば良いとも考えられる。しかし、制御部に常に電源を供給すると、携帯電話機本体の内蔵バッテリーの電力を消費するという新たな問題が生じるために好ましくない。
【０００９】
この発明は、上記した点に鑑みてなされたものであって、消費電力の増加を抑えつつ、動作モードを自動的に設定することができる携帯端末装置を提供することを目的とする。
【課題を解決するための手段】
【００１０】
上述した課題を解決し、目的を達成するために、本発明にかかる携帯端末装置は、例えば、複数のモードのうちのいずれかのモードに選択的に切替えられる端末装置本体と、所定の外部装置との間で無線通信を行うものであって、当該無線通信による給電にて動作する通信手段とを備えて構成される。ここで、端末装置本体は、モードの切替えタイミングの到来を監視するためのタイマ手段と、当該端末装置本体が起動された場合であってタイマ手段にて切替えタイミングが到来したと判断された場合に当該端末装置本体を所定モードから解除する本体側制御手段とを有して構成されることを特徴とする。また、通信手段は、モードの切替えタイミングを特定するための時間情報を外部装置から受信する受信手段と、受信手段にて受信された時間情報に基づいて、端末装置本体が起動された場合にタイマ手段による切替えタイミングの到来を監視可能とするための所定制御を行う通信側制御手段とを有することを特徴とする。
【００１１】
この発明によれば、例えば、ユーザが端末装置本体の電源をＯＦＦにした状態で所定領域に入った場合においても、外部装置と通信手段との通信が無給電で行われ、モードの切替えタイミングを特定するための時間情報が受信される。そして、この時間情報に基づいて、タイマ手段による切替えタイミングの到来が監視されるように所定の設定等が実行される。そして、ユーザが端末装置本体の電源をＯＮにした場合、この端末装置本体の本体側制御手段は、タイマ手段にて切替えタイミングが到来したと判断された場合に、当該端末装置本体を所定モードから解除する。このため、所定領域への入場時に端末装置本体の電源をＯＦＦにしていたか、あるいはＯＮにしていたかに関わらず、動作モードを自動的に設定することができる。また、このモード設定は、端末装置本体の本体側制御手段に常に電源を供給していなくても実行されるので、携帯端末装置の消費電力の増加を抑えることができる。
【発明の効果】
【００１２】
この発明によれば、上述したように、所定領域への入場時に端末装置本体の電源をＯＦＦにしていたか、あるいはＯＮにしていたかに関わらず、動作モードを自動的に設定することができる。また、このモード設定は、端末装置本体の本体側制御手段に常に電源を供給していなくても実行されるので、携帯端末装置の消費電力の増加を抑えることができる。
【発明を実施するための最良の形態】
【００１３】
以下に添付図面を参照して、この発明に係る携帯端末装置の各実施の形態を詳細に説明する。まず、（I）本発明の基本的概念を説明した後、（II）本発明の各実施の形態について説明し、（III）最後に、本発明の各実施の形態に対する変形例について説明する。
【００１４】
（I）本発明の基本的概念
まず、本発明の基本的概念について説明する。本発明は、携帯端末装置が所定領域内に持ち込まれた場合、この携帯端末装置の主電源がＯＮであるかＯＦＦであるかを問わず、この携帯端末装置を一定時間だけ所定モードに自動的に切替えることを主たる特徴の一つとしている。例えば、携帯端末装置としての携帯電話が駅構内に持ち込まれた場合、この携帯電話を一定時間だけいわゆるマナーモードに切替えることで、着信音の鳴動を一定時間だけ停止させる。
【００１５】
このような特徴を有する本発明に係る携帯端末装置は、特定の状況で使用されることを前提としている。まず、この使用状況について説明する。図１は、本発明に係る携帯端末装置の使用状況を例示する説明図である。この図１に示すように、本発明においては、携帯端末装置２００を有するユーザが入場ゲート２０１を通過し、領域２０２に入場することを前提としている。ここで、領域２０２は、携帯端末装置２００を所定のモードに設定する必要が生じ得る任意の領域であり、例えば、駅構内や映画館内が該当する。また、入場ゲート２０１は、ユーザが領域２０２に入場する際に通過するもので、例えば、駅の改札口や映画館の入り口に設置することができる。この入場ゲート２０１には、外部装置２０３が設置されている。この外部装置２０３は、携帯端末装置２００との間で無線通信を行う外部通信手段であり（特許請求の範囲における「所定の外部装置」に対応する）、携帯端末装置２００に対して、変調された所定の時間情報を含む制御信号を送信する。このように送信された時間情報が携帯端末装置２００で受信され、この時間情報に基づいて、所定のモードへの切替えタイミング等が自動的に設定される。
【００１６】
ここで、携帯端末装置２００の具体的な動作状況としては、領域２０２内において、ユーザが携帯端末装置２００の電源をＯＮにすることを想定している。この場合、さらに以下の２つの使用状況が想定される。第１の使用状況は、ユーザが入場ゲート２０１を通過した際には携帯端末装置２００の電源をＯＦＦにしており、入場ゲート２０１を通って領域２０２に入場した後で電源をＯＮにする場合である。第２の使用状況は、ユーザが入場ゲート２０１を通過した際に既に携帯端末装置２００の電源をＯＮにしていた場合である。本発明においては、これらいずれの使用状況においても、外部装置２０３と携帯端末装置２００との間で無線通信を行わせ、携帯端末装置２００の所定モードへの切替えタイミングの設定等を自動的に行う。さらに、本発明では、ユーザが領域２０２に所定時間以上滞在した場合、携帯端末装置２００における所定のモードを自動的に解除する。
【００１７】
（II）本発明の実施の形態
次に、本発明に係る携帯端末装置の各実施の形態について説明する。ただし、これら各実施の形態によって本発明が限定されるものではない。
【００１８】
〔実施の形態１〕
以下、本発明の実施の形態１に係る携帯端末装置について説明する。この実施の形態１は、（１）端末装置本体と通信手段とを備え、端末装置本体は、モードの切替えタイミングの到来を監視するためのタイマ手段と、端末装置本体を所定モードから解除する本体側制御手段とを有し、通信手段は、時間情報を外部装置から受信する受信手段と、受信された時間情報に基づいて、タイマ手段による切替えタイミングの到来を監視可能とするための所定制御を行う通信側制御手段とを有すること、及び、（２）現在時刻情報を出力する時刻情報出力手段と、情報を記憶する記憶手段とを備え、受信手段は猶予時間情報を受信し、通信側制御手段は、受信された切替え猶予時間情報を記憶手段に記憶させると共に、受信時刻情報を時刻情報出力手段から取得して記憶手段に記憶させ、本体側制御手段は、記憶手段から前記猶予時間情報及び受信時刻情報を取得すると共に、起動時刻情報を時刻情報出力手段から取得し、タイマ情報を猶予時間情報、受信時刻情報、及び、起動時刻情報に基づいて算定し、タイマ情報に基づいてタイマ手段による監視条件の設定を行うこと、等を主たる特徴とする。
【００１９】
（時間情報の概念）
ここで、本実施の形態に関連する時間情報の概念について説明する。「猶予時間情報」とは、ユーザが入場ゲートを通過してから、携帯端末装置１を所定モード（例えば、スリープモード）に保持しておくべき時間である。具体的には、この猶予時間情報は、任意の方法で外部装置に予め設定されており、携帯端末装置１はこの猶予時間情報を時間情報として外部装置から取得する。また、「受信時刻情報」とは、携帯端末装置１が外部装置から猶予時間情報を受信した時刻を表す。具体的には、携帯端末装置１は、猶予時間情報の受信後、直ちに、後述する時刻情報出力手段から現在時刻情報を取得し、このように取得された現在時刻情報を受信時刻情報として取り扱う。さらに、「起動時刻情報」とは、携帯端末装置１の本体機能を担う端末装置本体が起動した時刻を表す。具体的には、端末装置本体は、起動後直ちに、後述する時刻情報出力手段から現在時刻情報を取得し、このように取得された現在時刻情報を起動時刻情報として取り扱う。
【００２０】
（携帯端末装置の構成の概要）
次に、本実施の形態に係る携帯端末装置１の構成について説明する。図２は、本実施の形態１に係る携帯端末装置１の構成を示す機能ブロック図である。この図２に示すように、携帯端末装置１は、制御通信部１０と、端末装置本体２０とを備える。
【００２１】
（制御通信部の構成の概要）
このうち、制御通信部１０は、図示しない外部装置との間で無線通信を行うと共に、この無線通信によって取得した情報を必要に応じて記憶する通信手段であり、通信処理部１１と、通信側制御部１２と、記憶部１３とを備える（ここで、制御通信部１０、通信処理部１１、通信側制御部１２、及び記憶部１３は、特許請求の範囲における、通信手段、受信手段、通信側制御手段、及び記憶手段にそれぞれ対応する）。この制御通信部１０の具体的構成形態は任意であるが、例えば、携帯端末装置１に内蔵されたＩＣチップとして構成することができる。
【００２２】
ここで、通信処理部１１は、無線通信に関する処理を行う通信処理手段であり、外部装置が送信した信号をアンテナ１１ａを介して受信し、この信号を復調して時間情報Ｔを読取り、読取った時間情報Ｔを通信側制御部１２に送出する。また、この通信処理部１１は、無線通信による電磁誘導によって当該制御通信部１０の起動電力を得る電力取得手段としても機能し、無線通信による電磁誘導によって発生した電力を通信側制御部１２及び記憶部１３へ供給する。従って、端末装置本体２０の電源がＯＮであるかＯＦＦであるかに関わらず、制御通信部１０の機能が実行可能である。
【００２３】
また、通信側制御部１２は、制御通信部１０の各部を制御する通信側制御手段であり、例えば、ＣＰＵやこのＣＰＵ上で実行されるプログラム等を用いて構成される。この通信側制御部１２は、通信処理部１１から時間情報Ｔである猶予時間情報を受信し、後述する時刻情報出力部４０から受信時刻情報を取得する。さらに、通信側制御部１２は、猶予時間情報及び受信時刻情報を記憶部１３に保存する。
【００２４】
最後に、記憶部１３は、所定の情報を記憶する不揮発性の記憶手段であり、例えば、フラッシュメモリ等を用いて構成される。以上が制御通信部１０の構成要素とその機能の概要である。
【００２５】
（端末装置本体の構成の概要）
一方、端末装置本体２０は、携帯端末装置１の主機能を実現するものであって、本実施の形態１では、携帯電話機の通話機能を実現する携帯電話機本体として構成されている。また端末装置本体２０は、時間情報Ｔ等の所定の情報に基づき、自己が取り得る複数のモードのうち、所定のモードに自動的に切替えを行うものである。ここで所定のモードとは、携帯端末装置１の機能の全部又は一部を所定状態にすることを意味し、例えば、上述したマナーモード等である。このような機能を有する端末装置本体２０は、本体側制御部３０、時刻情報出力部４０、タイマ部５０、移動体通信部６０、入力部７０、報知部８０、表示部９０、及び電源部１００を備える（ここで、端末装置本体２０、本体側制御部３０、時刻情報出力部４０、及びタイマ部５０は、特許請求の範囲における、端末装置本体、本体側制御手段、時刻情報出力手段、及びタイマ手段にそれぞれ対応する）。
【００２６】
このうち、本体側制御部３０は、端末装置本体２０の各部を制御する本体側制御手段であり、例えば、ＣＰＵやこのＣＰＵ上で実行されるプログラム等を用いて構成される。この本体側制御部３０は、端末装置本体２０が起動すると、後述する時刻情報出力部４０から起動時刻情報を取得すると共に、記憶部１３が記憶する猶予時間情報及び受信時刻情報を取得する。さらに、本体側制御部３０は、取得した起動時刻情報、猶予時間情報、及び受信時刻情報に基づいて、タイマ部５０の設定を行い、このタイマ部５０の計時状態に応じて端末装置本体２０のモードの切替えを行う。
【００２７】
また、時刻情報出力部４０は、現在時刻情報を出力する時刻情報出力手段であり、例えば、ＲＴＣ（Real Time Clock）等を用いて構成される。この時刻情報出力部４０は、端末装置本体２０の電源がＯＦＦであっても、電源部１００からの給電等にて稼動しており、現在時刻情報を出力する。タイマ部５０は、所定時間を計時する計時手段であり、端末装置本体２０のモードの切替えタイミングの到来を監視するために用いられる。
【００２８】
移動体通信部６０は、無線通信を実現する通信手段であり、受話部６１、送話部６２、信号処理部６３、及び通信処理部６４を用いて構成される。通信処理部６４は、さらにアンテナ６４ａを有する。このうち、受話部６１は、音声情報を受付ける音声入力手段であり、例えばマイク等を用いて構成される。送話部６２は、音声情報を出力する音声出力手段であり、例えばスピーカ等を用いて構成される。信号処理部６３は、無線信号と音声又はデータとの信号変換を行う信号処理手段であり、例えばＡ／Ｄ変換器等を用いて構成される。通信処理部６４は、アンテナ６４ａを介して無線信号の送受信を行う、通信処理手段であり、例えば増幅フィルタ等を用いて構成される。
【００２９】
入力部７０は、ユーザの入力指示を受付ける入力手段であり、例えば、テンキー及びポインティングデバイス等を用いて構成される。報知部８０は、所定の情報を報知する報知手段であり、例えば、音声発信手段及びバイブレータ等により構成される。表示部９０は、所定の情報を表示出力する表示手段であり、ディスプレイ及びＬＥＤ等を用いて構成される。ディスプレイは、例えば、液晶表示装置、有機エレクトロルミネッセンス表示装置、又は発光ダイオード等を用いて構成される。
【００３０】
電源部１００は、端末装置本体２０の各構成要素へ電源を供給する電源手段であり、電源キー１０１と、電源制御部１０２と、蓄電部１０３とを用いて構成される。電源キー１０１は、例えば、ユーザの起動指示又は停止指示を受付ける電源入力手段である。電源制御部１０２は、電源キー１０１の受付ける起動指示又は停止指示に基づいて電源部１００を制御し、端末装置本体２０の各構成要素への電力供給を制御する電源制御手段であり、例えば、ＩＣ回路等を用いて構成される。蓄電部１０３は、端末装置本体２０の消費する電力を蓄電する蓄電手段である。以上が端末装置本体２０の構成要素とその機能である。
【００３１】
（処理内容）
このように構成された携帯端末装置１による処理について、以下説明する。この処理は、（１）外部装置から猶予時間情報を取得すると共に、時刻情報出力部４０から受信時刻情報を取得するための処理であって、主として制御通信部１０によって実行される「時間情報設定処理」と、（２）さらに時刻情報出力部４０から起動時刻情報を取得し、猶予時間情報、受信時刻情報、及び起動時刻情報に基づいて端末装置本体の設定を行う処理であって、主として端末装置本体２０によって実行される「モード切替え処理」とに大別される。これら各処理について、まず、上述した使用状況１の場合、すなわち、ユーザが入場ゲートを通過した際には携帯端末装置１の電源をＯＦＦにしており、入場ゲートを通って領域に入場した後で電源をＯＮにした場合について説明する。また、ここでは、領域内において携帯端末装置１に設定すべき所定モードを「スリープモード」として説明する。
【００３２】
（時間情報設定処理（入場時電源ＯＦＦ））
まず、制御通信部１０にて実行される時間情報設定処理について説明する。図３は、時間情報設定処理のフローチャートである。ユーザが携帯端末装置１を保持して入場ゲートを通過する際、制御通信部１０の通信処理部１１は、入場ゲートに設置された外部装置から制御信号を受信する（この際、通信による電磁誘導によって電力が供給されるので、携帯端末装置１の電源をＯＦＦにしている場合においても、以下の各処理が実行される）。この制御信号には、変調された猶予時間情報が含まれている。このような制御信号を受信した通信処理部１１は、この制御信号を復調して猶予時間情報を読取り、読取った猶予時間情報を通信側制御部１２に送出する。通信側制御部１２は、通信処理部１１が送出した猶予時間情報を受信し（ステップＳ１０１）、当該猶予時間情報の受信後、直ちに時刻情報出力部４０から受信時刻情報を取得する（ステップＳ１０２）。そして、通信側制御部１２は、このように取得した猶予時間情報及び受信時刻情報を、記憶部１３に保存する（ステップＳ１０３）。以上が、通信側制御部１２の時間情報設定処理である。
【００３３】
（モード切替え処理（入場時電源ＯＦＦ））
次に、端末装置本体２０にて実行されるモード切替え処理について説明する。図４は、モード切替え処理のフローチャートである。ユーザが、領域内で、携帯端末装置１の電源をＯＮにするために電源キー１０１を押下すると、電源制御部１０２は蓄電部１０３の端末装置本体２０への電力供給を開始し、端末装置本体２０の各部が起動する。
【００３４】
このように起動した本体側制御部３０は、起動後直ちに、時刻情報出力部４０から起動時刻情報を取得する（ステップＳ２０１）。また、本体側制御部３０は、さらに、記憶部１３にて保存されている猶予時間情報及び受信時刻情報を取得する（ステップＳ２０２）。
【００３５】
本体側制御部３０は、取得した起動時刻情報、猶予時間情報、及び受信時刻情報に基づいて、タイマ部５０に設定すべきタイマ情報を算定する（ステップＳ２０３）。ここで、タイマ情報とは、スリープモードへの切替え要否を判断するための情報、及び、スリープモードへの切替えが必要な場合には当該スリープモードに切替えておくべき時間を示す情報であり、ここでは、タイマ情報＝受信時刻情報＋猶予時間情報−起動時刻情報として算定される。そして、本体側制御部３０は、算定したタイマ情報に基づいて、端末装置本体２０のスリープモードへの切替えを実行するか否かを判断する（ステップＳ２０４）。このスリープモードへの切替えを実行するか否かは、具体的には、算定したタイマ情報が正の値か否かで判断し、タイマ情報が正の値の場合には切替えを実行すると判断し（ステップＳ２０４，Ｙｅｓ）、正の値ではない場合（負の値又は零の場合）には切替えを実行しないと判断する（ステップＳ２０４，Ｎｏ）。
【００３６】
例えば、受信時刻情報が１０時３０分であり、猶予時間情報が２時間であり、起動時刻情報が１１時００分である場合、タイマ情報は１．５時間となる。この場合、１．５時間は正の値であることから、端末装置本体２０のスリープモードへの切替えを実行すると判断する（ステップＳ２０４，Ｙｅｓ）。一方、受信時刻情報が１０時３０分であり、猶予時間情報が２時間であり、起動時刻情報が１３時００分である場合、タイマ情報は−０．５時間となる。この場合、−０．５時間は負の値であることから、端末装置本体２０のスリープモードへの切替えを実行しないと判断する（ステップＳ２０４，Ｎｏ）。
【００３７】
本体側制御部３０は、ステップＳ２０４において切替えを実行しないと判断した場合には、電源投入前に設定されていたモードで端末装置本体２０を起動させた後、ステップＳ２０５〜Ｓ２０９を行うことなく本処理を終了する。この場合、端末装置本体２０は、デフォルトのモード、例えば、通常着信モードで動作を開始する。これにより、ユーザは、入場ゲートを通過してから、猶予時間情報にて示される時間以上が経過した後で、携帯端末装置１の電源をＯＮにした場合には、従来通り、電源投入前に設定されていたモードで端末装置本体２０を使用することができる。
【００３８】
一方、本体側制御部３０は、ステップＳ２０４において切替えを実行すると判断した場合には、端末装置本体２０をスリープモードへ切替えた上で起動させる。この場合、端末装置本体２０は、スリープモードで動作を開始する。また同時に、本体側制御部３０は、ステップＳ２０３で算定したタイマ情報に基づき、解除タイミングを設定する（ステップＳ２０５）。この解除タイミングとは、端末装置本体２０をスリープモードの如き所定モードから解除し、当該所定モードに切替える前のデフォルトモードにするタイミングである。具体的には、本体側制御部３０は、ステップＳ２０３で算定したタイマ情報をタイマ部５０に設定し、このタイマ部５０にタイマ情報の計時を行わせる。このような設定を行った本体側制御部３０は、タイマ部５０に対してタイマ部５０の計時状態の送出を指示し（ステップＳ２０６）、タイマ部５０の計時状態を受信する（ステップＳ２０７）。次いで本体側制御部３０は、受信したタイマ部５０の計時状態に基づいて、解除タイミングが到来したか否かを監視し（ステップＳ２０８）、タイマ部５０がタイマ情報の計時を終了した場合、解除タイミングが到来したと判断し（ステップＳ２０８，Ｙｅｓ）、端末装置本体２０を所定モードから解除すると共に電源投入前に設定されていたモードに復帰させる（ステップＳ２０９）。これにより、猶予時間経過時にスリープモードを自動的に解除し、通常着信モード等に自動的に復帰させることができる。従って、ユーザは、入場ゲートを通過してから、猶予時間情報にて示される時間以上が経過する前に携帯端末装置１の電源をＯＮにした場合には、この猶予時間が経過するまではスリープモード、猶予時間が経過した後には着信モード等にて、端末装置本体２０を使用することができる。以上が、本体側制御部３０のモード切替え処理である。
【００３９】
次に、ユーザが入場ゲートを通過した際に携帯端末装置１の電源を既にＯＮにしていた場合の処理について説明する。ただし、この処理は、入場時に電源がＯＦＦであった時の処理とほぼ共通しているため、以下では特に異なる手順についてのみ説明する。
【００４０】
（時間情報設定処理（入場時電源ＯＮ））
まず、制御通信部１０にて実行される時間情報設定処理について説明する。ユーザが入場ゲートを通過した際、制御通信部１０の通信側制御部１２は、図３のフローチャートで説明した時間情報設定処理（図３のステップＳ１０１〜Ｓ１０３）を行い、それに加え、本体側制御部３０に対し、報知情報を送出する。この報知情報とは、本体側制御部３０に対し、制御通信部１０が猶予時間情報及び受信時刻情報を取得したことを報知する情報である。以上が、通信側制御部１２の時間情報設定処理のうち、入場時電源ＯＦＦの場合の処理と異なる手順についての説明である。
【００４１】
（モード切替え処理（入場時電源ＯＮ））
次に、端末装置本体２０にて実行されるモード切替え処理について説明する。ここでは、端末装置本体２０、及び端末装置本体２０の構成要素である本体側制御部３０は、すでに起動状態である。この状態において、本体側制御部３０は、通信側制御部１２の送出した報知情報を受信すると、図４のフローチャートで説明したモード切替え処理と同様の処理を開始する。ここで本体側制御部３０が行うモード切替え処理は、図４のフローチャートで説明したモード切替え処理と、以下の（１）〜（４）の点で異なる。まず、（１）本体側制御部３０は、すでに起動状態であるため、図４のステップＳ２０１における起動時刻情報の取得を行わない。次に、（２）本体側制御部３０は、図４のステップＳ２０２において、制御通信部１０の記憶部１３が記憶する情報のうち、猶予時間情報のみを取得し、受信時刻情報を取得しない。これは、本体側制御部３０は、報知情報の受信後直ちにこのモード切替え処理を開始するためである。また、（３）本体側制御部３０は、図４のステップＳ２０４におけるスリープモードへの切替えを実行するか否かの判断処理を行わない。これは、本体側制御部３０は、端末装置本体２０のスリープモードへの切替えを必ず実行するためである（ただし、猶予時間が０であるような特殊な場合を除く）。さらに、（４）本体側制御部３０は、図４のステップＳ２０５において、タイマ情報の算定を行わず、取得した猶予時間情報をそのままタイマ部５０に設定し、このタイマ情報の計時を行わせる。これも、本体側制御部３０は、報知情報の受信後直ちに、このモード切替え処理を実行するためである。以上が、本体側制御部３０のモード切替え処理のうち、入場時電源ＯＦＦの場合の処理と異なる手順についての説明である。このような処理を行うことにより、ユーザは、入場ゲートを通過した際に携帯端末装置１の電源を既にＯＮにしていた場合においても、入場ゲートを通過してから猶予時間が経過するまではスリープモード、猶予時間が経過した後には着信モード等にて、端末装置本体２０を使用することができる。
【００４２】
（実施の形態１の効果）
このように本実施の形態１によれば、端末装置本体２０の起動状態に関らず、記憶部１３に猶予時間情報及び受信時刻情報を保存して、これら猶予時間情報及び受信時刻情報と、端末装置本体の起動時に取得した起動時間情報とに基づいて、端末装置本体２０を所定のモードへ自動的に切替えることができる。また、タイマ情報に基づいて解除タイミングを設定することで、猶予時間経過後には所定モードを自動的に解除することができる。また、この実施の形態１では、端末装置本体２０の本体側制御部３０に常に電源を供給する必要が無いため、蓄電部１０３の電力消費を節約できる。
【００４３】
〔実施の形態２〕
以下、本発明の実施の形態２に係る携帯端末装置について説明する。この実施の形態２は、（１）端末装置本体と通信手段とを備え、端末装置本体は、モードの切替えタイミングの到来を監視するためのタイマ手段と、端末装置本体を所定モードから解除する本体側制御手段とを有し、通信手段は、時間情報を外部装置から受信する受信手段と、受信された時間情報に基づいて、タイマ手段による切替えタイミングの到来を監視可能とするための所定制御を行う通信側制御手段とを有すること、及び、（２）現在時刻情報を出力する時刻情報出力手段と、情報を記憶する記憶手段とを備え、受信手段は、解除時刻情報を受信し、通信側制御手段は、解除時刻情報を記憶手段に記憶させ、本体側制御手段は、記憶手段から解除時刻情報を取得すると共に、起動時刻情報を時刻情報出力手段から取得し、タイマ手段にて監視されるタイマ情報を解除時刻情報及び起動時刻情報に基づいて算定し、タイマ情報に基づいてタイマ手段による監視条件の設定を行うこと、等を主たる特徴とする。
【００４４】
（時間情報の概念）
ここで、本実施の形態に関連する時間情報の概念について説明する。「解除時刻情報」とは、携帯端末装置の所定モードへの切替えを行った後、携帯端末装置を所定モードから解除する時刻である。具体的には、この解除時刻情報は、任意の方法で外部装置に予め設定されており、携帯端末装置は、この解除時刻情報を時間情報として外部装置から取得する。
【００４５】
（携帯端末装置の構成の概要）
次に、本実施の形態に係る携帯端末装置の構成について説明する。図５は、本実施の形態２に係る携帯端末装置２の構成を示す機能ブロック図である。図５において、この携帯端末装置２は、制御通信部１４及び端末装置本体２１を備える。なお、特に説明なき構造及び処理については、上述した実施の形態１と同様であり、同一の構成及び処理を同一の符号を付して説明する。
【００４６】
（制御通信部の構成の概要）
制御通信部１４は、図示しない外部装置との間で無線通信を行うと共に、この無線通信によって取得した情報を必要に応じて記憶する通信手段であり、通信処理部１１と、通信側制御部１５と、記憶部１３とを備える（ここで、制御通信部１４及び通信側制御部１５は、特許請求の範囲における、通信手段及び通信側制御手段にそれぞれ対応する）。この制御通信部１４の具体的構成形態は任意であるが、例えば、携帯端末装置２に内蔵されたＩＣチップとして構成することができる。
【００４７】
通信側制御部１５は、制御通信部１４の各部を制御する通信側制御手段であり、例えば、ＣＰＵやこのＣＰＵ上で実行されるプログラム等を用いて構成される。この通信側制御部１５は、通信処理部１１から、時間情報Ｔである解除時刻情報を受信し、この解除時刻情報を記憶部１３に保存する。
【００４８】
（端末装置本体の構成の概要）
一方、端末装置本体２１は、本体側制御部３１、時刻情報出力部４０、タイマ部５０、移動体通信部６０、入力部７０、報知部８０、表示部９０、及び、電源部１００を備える（ここで、端末装置本体２１及び本体側制御部３１は、特許請求の範囲における、端末装置本体及び本体側制御手段にそれぞれ対応する）。
【００４９】
このうち、本体側制御部３１は、端末装置本体２１の各部を制御する本体側制御手段であり、例えば、ＣＰＵやこのＣＰＵ上で実行されるプログラム等を用いて構成される。この本体側制御部３１は、端末装置本体２１が起動すると、時刻情報出力部４０から起動時刻情報を取得すると共に、記憶部１３が記憶する解除時刻情報を取得する。そして、本体側制御部３１は、取得した起動時刻情報及び解除時刻情報に基づいて、タイマ部５０の設定を行い、このタイマ部５０の計時状態に応じて、端末装置本体２１のモードの切替えを行う。
【００５０】
（処理内容）
このように構成された携帯端末装置２による処理について、以下説明する。この処理は、（１）外部装置から解除時刻情報を取得するための処理であって、主として制御通信部１４によって実行される「時間情報設定処理」と、（２）さらに時刻情報出力部４０から起動時刻情報を取得し、解除時刻情報及び起動時刻情報に基づいて端末装置本体の設定を行う処理であって、主として端末装置本体２１によって実行される「モード切替え処理」とに大別される。これら各処理について、まず、ユーザが入場ゲートを通過した際には携帯端末装置２の電源をＯＦＦにしており、入場ゲートを通って領域に入場した後で電源をＯＮにした場合について説明する。また、領域内において携帯端末装置２に設定すべき所定モードを「スリープモード」として説明する。
【００５１】
（時間情報設定処理（入場時電源ＯＦＦ））
まず、制御通信部１４にて実行される時間情報設定処理について説明する。図６は、時間情報設定処理のフローチャートである。ユーザが携帯端末装置２を保持して入場ゲートを通過する際、制御通信部１４の通信処理部１１は、入場ゲートに設置された外部装置から制御信号を受信する。この制御信号には、変調された解除時刻情報が含まれている。このような制御信号を受信した通信処理部１１は、この制御信号を復調して解除時刻情報を読取り、読取った解除時刻情報を通信側制御部１５に送出する。通信側制御部１５は、通信処理部１１が送出した解除時刻情報を受信し（ステップＳ３０１）、取得した解除時刻情報を、記憶部１３に保存する（ステップＳ３０２）。以上が、通信側制御部１５の時間情報設定処理である。
【００５２】
（モード切替え処理（入場時電源ＯＦＦ））
次に、端末装置本体２１にて実行されるモード切替え処理について説明する。図７は、モード切替え処理のフローチャートである。ユーザが、領域内で、携帯端末装置２の電源をＯＮにするために電源キー１０１を押下すると、電源制御部１０２は蓄電部１０３の端末装置本体２１への電力供給を開始し、端末装置本体２１の各部が起動する。
【００５３】
このように起動した本体側制御部３１は、起動後直ちに、時刻情報出力部４０から起動時刻情報を取得する（ステップＳ４０１）。また、本体側制御部３１は、記憶部１３にて保存されている解除時刻情報を取得する（ステップＳ４０２）。
【００５４】
次いで、本体側制御部３１は、取得した解除時刻情報及び起動時刻情報に基づいて、タイマ部５０に設定すべきタイマ情報を算定する（ステップＳ４０３）。ここで、タイマ情報は、タイマ情報＝解除時刻情報−起動時刻情報として算定される。そして、本体側制御部３１は、算定したタイマ情報に基づいて、端末装置本体２１のスリープモードへの切替えを実行するか否かを判断する（ステップＳ４０４）。このスリープモードへの切替えを実行するか否かは、具体的には、算定したタイマ情報が正の値か否かで判断し、タイマ情報が正の値の場合に切替えを実行すると判断し（ステップＳ４０４，Ｙｅｓ）、正の値ではない場合（負の値又は零の場合）に切替えを実行しないと判断する（ステップＳ４０４，Ｎｏ）。
【００５５】
例えば、解除時刻情報が１２時３０分であり、起動時刻情報が１１時００分である場合、タイマ情報は１．５時間となる。この場合、１．５時間は正の値であることから、端末装置本体２１のスリープモードへの切替えを実行すると判断する（ステップＳ４０４，Ｙｅｓ）。一方、解除時刻情報が１２時３０分であり、起動時刻情報が１３時００分である場合、タイマ情報は−０．５時間となる。この場合、−０．５時間は負の値であることから、端末装置本体２１のスリープモードへの切替えを実行しないと判断する（ステップＳ４０４，Ｎｏ）。
【００５６】
本体側制御部３１は、ステップＳ４０４において切替えを実行しないと判断した場合には、電源投入前に設定されていたモードで端末装置本体２１を起動させた後、ステップＳ４０５〜Ｓ４０９を行うことなく本処理を終了する。この場合、端末装置本体２１は、デフォルトのモード、例えば、通常着信モードで動作を開始する。これにより、ユーザは、入場ゲートを通過してから、解除時刻が到来した後で、携帯端末装置１の電源をＯＮにした場合には、従来通り、電源投入前に設定されていたモードで端末装置本体２０を使用することができる。
【００５７】
一方、本体側制御部３１は、ステップＳ４０４において切替えを実行すると判断した場合には、端末装置本体２１をスリープモードへ切替えた上で起動させる。この場合、端末装置本体２１は、スリープモードで動作を開始する。また同時に、本体側制御部３１は、ステップＳ４０３で算定したタイマ情報に基づき、解除タイミングを設定する（ステップＳ４０５）。このような設定を行った本体側制御部３１は、タイマ部５０に対してタイマ部５０の計時状態の送出を指示し（ステップＳ４０６）、タイマ部５０の計時状態を受信する（ステップＳ４０７）。次いで本体側制御部３１は、受信したタイマ部５０の計時状態に基づいて、解除タイミングが到来したか否かを監視し（ステップＳ４０８）、タイマ部５０がタイマ情報の計時を終了した場合、解除タイミングが到来したと判断し（ステップＳ４０８，Ｙｅｓ）、端末装置本体２１を所定モードから解除すると共に電源投入前に設定されていたモードに復帰させる（ステップＳ４０９）。これにより、解除時刻になるとスリープモードを自動的に解除し、通常着信モード等に自動的に復帰させることができる。従って、ユーザは、入場ゲートを通過してから、解除時刻が到来する前に携帯端末装置１の電源をＯＮにした場合には、この解除時刻が到来するまではスリープモード、解除時刻が到来した後には着信モード等にて、端末装置本体２０を使用することができる。以上が、本体側制御部３１のモード切替え処理である。
【００５８】
次に、ユーザが入場ゲートを通過した際に携帯端末装置２の電源を既にＯＮにしていた場合の処理について説明する。ただし、この処理は、入場時に電源がＯＦＦであった時の処理とほぼ共通しているため、以下では特に異なる手順についてのみ説明する。
【００５９】
（時間情報設定処理（入場時電源ＯＮ））
まず、制御通信部１４にて実行される時間情報設定処理について説明する。ユーザが入場ゲートを通過した際、制御通信部１４の通信側制御部１５は、図６のフローチャートで説明した時間情報設定処理（図６のステップＳ３０１〜Ｓ３０２）を行い、それに加え、本体側制御部３１に対し、報知情報を送出する。この報知情報とは、本体側制御部３１に対し、制御通信部１４が解除時刻情報を取得したことを報知する情報である。以上が、通信側制御部１５の時間情報設定処理のうち、入場時電源ＯＦＦの場合の処理と異なる手順についての説明である。
【００６０】
（モード切替え処理（入場時電源ＯＮ））
次に、端末装置本体２１にて実行されるモード切替え処理について説明する。ここでは、端末装置本体２１、及び端末装置本体２１の構成要素である本体側制御部３１は、すでに起動状態である。この状態において、本体側制御部３１は、通信側制御部１５の送出した報知情報を受信すると、図７のフローチャートで説明したモード切替え処理と同様の処理を開始する。ここで本体側制御部３１が行うモード切替え処理は、図７のフローチャートで説明したモード切替え処理と、以下の（１）〜（４）の点で異なる。まず、（１）本体側制御部３０は、すでに起動状態であるため、図７のステップＳ４０１における起動時刻情報の取得を行わない。次に、（２）本体側制御部３０は、報知情報の受信後直ちに、時刻情報出力部４０から現在時刻情報（以降、このように取得された現在時刻情報を、報知情報の受信時刻を表す「報知時刻情報」と称する）を取得する。また、（３）図４のステップＳ４０３において、タイマ情報をタイマ情報解除時刻情報−報知時刻情報と算定する。さらに、（４）本体側制御部３１は、図７のステップＳ４０４におけるスリープモードへの切替えを実行するか否かの判断処理を行わない。これは、本体側制御部３１は、端末装置本体２１のスリープモードへの切替えを必ず実行するためである（ただし、解除時刻がその時点の時刻であるような特殊な場合を除く）。以上が、本体側制御部３１のモード切替え処理のうち、入場時電源ＯＦＦの場合の処理と異なる手順についての説明である。このような処理を行うことにより、ユーザは、入場ゲートを通過した際に携帯端末装置１の電源を既にＯＮにしていた場合においても、入場ゲートを通過してから解除時刻が到来するまではスリープモード、解除時刻が到来した後には着信モード等にて、端末装置本体２０を使用することができる。
【００６１】
（実施の形態２の効果）
このように本実施の形態２によれば、端末装置本体２１の起動状態に関らず、記憶部１３に解除時刻情報を保存して、この解除時刻情報と端末装置本体の起動時に取得した起動時間情報とに基づいて、端末装置本体２１を所定のモードへ自動的に切替えることができる。また、タイマ情報に基づいて解除タイミングを設定することで、解除時刻には所定モードを自動的に解除することができる。さらに、この実施の形態２の通信側制御部１５は、実施の形態１の通信側制御部１２に比して、猶予時間情報及び受信時刻情報の代わりに解除時刻情報のみ取得すれば良いので、通信側制御部１５の処理内容が簡潔になり、記憶部１３に保存される情報量も少なくなるため、実施の形態１に比して制御通信部１４を簡素化することができる。また、この実施の形態２においても、実施の形態１と同様に、端末装置本体２１の本体側制御部３１に常に電源を供給する必要が無いため、蓄電部１０３の電力消費を節約できる。
【００６２】
〔実施の形態３〕
以下、本発明の実施の形態３に係る携帯端末装置について説明する。この実施の形態３は、（１）端末装置本体と通信手段とを備え、端末装置本体は、モードの切替えタイミングの到来を監視するためのタイマ手段と、端末装置本体を所定モードから解除する本体側制御手段とを有し、通信手段は、時間情報を外部装置から受信する受信手段と、受信された時間情報に基づいて、タイマ手段による切替えタイミングの到来を監視可能とするための所定制御を行う通信側制御手段とを有すること、及び、（２）受信手段は、猶予時間情報を受信し、通信側制御手段は、猶予時間情報をタイマ情報としてタイマ手段に監視させ、本体側制御手段は、タイマ手段にて切替えタイミングが到来したと判断された場合に当該端末装置本体を所定モードから解除すること、等を主たる特徴とする。
【００６３】
（携帯端末装置の構成の概要）
まず、本実施の形態に係る携帯端末装置の構成について説明する。図８は、本実施の形態３に係る携帯端末装置３の構成を示す機能ブロック図である。図８において、この携帯端末装置３は、制御通信部１６及び端末装置本体２２を備える。なお、特に説明なき構造及び処理については、上述した実施の形態１と同様であり、同一の構成及び処理を同一の符号を付して説明する。
【００６４】
（制御通信部の構成の概要）
制御通信部１６は、図示しない外部装置との間で無線通信を行う通信手段であり、通信処理部１１と、通信側制御部１７と、記憶部１３とを有する（ここで、制御通信部１６及び通信側制御部１７は、特許請求の範囲における、通信手段及び通信側制御手段にそれぞれ対応する）。
【００６５】
このうち、通信側制御部１７は、制御通信部１６の各部を制御する通信側制御手段であり、例えば、ＣＰＵやこのＣＰＵ上で実行されるプログラム等を用いて構成される。この通信側制御部１７は、通信処理部１１から時間情報Ｔである猶予時間情報を受信し、この猶予時間情報に基づいて後述するタイマ部５１の設定を行う。
【００６６】
（端末装置本体の構成の概要）
一方、端末装置本体２２は、本体側制御部３２、時刻情報出力部４０、タイマ部５１、移動体通信部６０、入力部７０、報知部８０、表示部９０、及び、電源部１００を備える（ここで端末装置本体２２、本体側制御部３２、及びタイマ部５１は、特許請求の範囲における、端末装置本体、本体側制御手段、及びタイマ手段にそれぞれ対応する）。
【００６７】
このうち、本体側制御部３２は、端末装置本体２２の各部を制御する本体側制御手段であり、例えば、ＣＰＵやこのＣＰＵ上で実行されるプログラム等を用いて構成される。本体側制御部３２は、端末装置本体２２が起動すると、後述するタイマ部５１の計時状態に基づいて端末装置本体２２のモードの切替えを行う。
【００６８】
タイマ部５１は、所定時間を計時する計時手段であり、端末装置本体２２のモードの切替えタイミングの到来を監視するために用いられる。また、タイマ部５１は、端末装置本体２２の電源がＯＦＦであっても、電源部１００からの給電等にて稼動しており、所定時間を計時する。
【００６９】
（処理内容）
このように構成された携帯端末装置３による処理について、以下説明する。この処理は、（１）外部装置から猶予時間情報を取得し、取得した猶予時間情報に基づいてタイマ部５１の設定処理を行うための処理であって、主として制御通信部１６によって実行される「時間情報設定処理」と、（２）タイマ部５１の計時状態に基づいて端末装置本体２２の設定を行う処理であって、主として端末装置本体２２によって実行される「モード切替え処理」とに大別される。これら各処理について、まず、ユーザが入場ゲートを通過した際には携帯端末装置３の電源をＯＦＦにしており、入場ゲートを通って領域に入場した後で電源をＯＮにした場合について説明する。また、領域内において携帯端末装置３に設定すべき所定モードを「スリープモード」として説明する。
【００７０】
（時間情報設定処理（入場時電源ＯＦＦ））
まず、制御通信部１６にて実行される時間情報設定処理について説明する。図９は、時間情報設定処理のフローチャートである。ユーザが携帯端末装置３を保持して入場ゲートを通過する際、制御通信部１６の通信処理部１１は、入場ゲートに設置された外部装置から制御信号を受信する。この制御信号には、変調された猶予時間情報が含まれ、通信処理部１１は、この制御信号を受信すると共に、当該制御信号を復調して猶予時間情報を読取り、読取った猶予時間情報を通信側制御部１７に送出する。通信側制御部１７は、通信処理部１１が送出した猶予時間情報を受信する（ステップＳ５０１）。通信側制御部１７は、受信した猶予時間情報に基づき、端末装置本体２２の所定モードからの解除のタイミングを監視するタイマ部５１の監視条件の設定を行う（ステップＳ５０２）。設定されたタイマ部５１は、猶予時間情報の計時を開始する。以上が、通信側制御部１７の時間情報設定処理である。
【００７１】
（モード切替え処理（入場時電源ＯＦＦ））
次に、端末装置本体２２にて実行されるモード切替え処理について説明する。図１０は、モード切替え処理のフローチャートである。ユーザが、領域内で、携帯端末装置３の電源をＯＮにするために電源キー１０１を押下すると、電源制御部１０２は蓄電部１０３の端末装置本体２２への電力供給を開始し、端末装置本体２２の各部が起動する。
【００７２】
このように起動した本体側制御部３２は、タイマ部５１に対してタイマ部５１の計時状態の送出を指示し（ステップＳ６０１）、タイマ部５１の計時状態を受信する（ステップＳ６０２）。
【００７３】
次いで本体側制御部３２は、受信したタイマ部５１の計時状態に基づいて、端末装置本体２２の所定モードへの切替えを実行するか否かを判断する（ステップＳ６０３）。本体側制御部３２が、この所定モードへの切替えを実行するか否かは、タイマ部５１が猶予時間情報の計時中であるか否かで判断する。すなわち、タイマ部５１が猶予時間情報の計時中である場合、切替えを実行すると判断し（ステップＳ６０３，Ｙｅｓ）、タイマ部５１が猶予時間情報の計時中ではない場合、切替えを実行しないと判断する（ステップＳ６０３，Ｎｏ）。
【００７４】
本体側制御部３２は、ステップＳ６０３において切替えを実行しないと判断した場合には、起動時のデフォルトのモードで端末装置本体２２を起動させた後、ステップＳ６０４〜Ｓ６０７を行うことなく本処理を終了する。この場合、端末装置本体２２は、デフォルトのモード、例えば、通常着信モードで動作を開始する。これにより、ユーザは、入場ゲートを通過してから、猶予時間が経過した後で、携帯端末装置１の電源をＯＮにした場合には、従来通り、電源投入前に設定されていたモードで端末装置本体２０を使用することができる。
【００７５】
一方、本体側制御部３２は、ステップＳ６０３において切替えを実行すると判断した場合には、端末装置本体２２をスリープモードへ切替えた上で起動させる。この場合、端末装置本体２２は、スリープモードで動作を開始する。
【００７６】
この切替えを行った本体側制御部３２は、再びタイマ部５１に対してタイマ部５１の計時状態の送出を指示し（ステップＳ６０４）、タイマ部５１の計時状態を受信する（ステップＳ６０５）。次いで本体側制御部３２は、受信したタイマ部５１の計時状態を監視し（ステップＳ６０６）、タイマ部５１がタイマ情報の計時を終了した場合、解除タイミングが到来したと判断し（ステップ６０６，Ｙｅｓ）、端末装置本体２２を所定モードから解除すると共に電源投入前に設定されていたモードに復帰させる（ステップＳ６０７）。これにより、猶予時間経過後になるとスリープモードを自動的に解除し、通常着信モード等に自動的に復帰させることができる。従って、ユーザは、入場ゲートを通過してから、猶予時間が経過する前に携帯端末装置１の電源をＯＮにした場合には、この猶予時間が経過するまではスリープモード、猶予時間が経過した後には着信モード等にて、端末装置本体２０を使用することができる。以上が、本体側制御部３２のモード切替え処理である。
【００７７】
次に、ユーザが入場ゲートを通過した際に携帯端末装置３の電源を既にＯＮにしていた場合の処理について説明する。ただし、この処理は、入場時に電源がＯＦＦであった時の処理とほぼ共通しているため、以下では特に異なる手順についてのみ説明する。
【００７８】
（時間情報設定処理（入場時電源ＯＮ））
まず、制御通信部１６にて実行される時間情報設定処理について説明する。制御通信部１６の通信側制御部１７は、図９のフローチャートで説明した時間情報設定処理を行い、それに加え、本体側制御部３２に対し、報知情報を送出する。この報知情報とは、本体側制御部３２に対し、制御通信部１６が猶予時間情報を取得し、タイマ部５１の設定を行ったことを報知する情報である。以上が、通信側制御部１７の時間情報設定処理のうち、入場時電源ＯＦＦの場合の処理と異なる手順についての説明である。
【００７９】
（モード切替え処理（入場時電源ＯＮ））
次に、端末装置本体２２にて実行されるモード切替え処理について説明する。ここでは、端末装置本体２２、及び端末装置本体２２の構成要素である本体側制御部３２は、すでに起動状態である。この状態において、本体側制御部３２は、通信側制御部１７の送出した報知情報を受信すると、図１０のフローチャートで説明したモード切替え処理と同様の処理を開始する。ここで本体側制御部３２が行うモード切替え処理は、図１０のフローチャートで説明したモード切替え処理と、以下の点で異なる。すなわち、本体側制御部３２は、図１０のステップＳ６０３におけるスリープモードへの切替えを実行するか否かの判断処理を行わない。これは、本体側制御部３２は、端末装置本体２２のスリープモードへの切替えを必ず実行するためである（ただし、猶予時間が０であるような特殊な場合を除く）。以上が、本体側制御部３２のモード切替え処理のうち、入場時電源ＯＦＦの場合の処理と異なる手順についての説明である。このような処理を行うことにより、ユーザは、入場ゲートを通過した際に携帯端末装置１の電源を既にＯＮにしていた場合においても、入場ゲートを通過してから猶予時間が経過するまではスリープモード、猶予時間が経過した後には着信モード等にて、端末装置本体２０を使用することができる。
【００８０】
（実施の形態３の効果）
このように本実施の形態３によれば、端末装置本体２２の起動状態に関らず、通信側制御部１７は、取得した猶予時間情報に基づいてタイマ部５１による監視条件の設定を行う。このため、端末装置本体２２の起動後、本体側制御部３２は、タイマ部５１の計時状態に基づいて、端末装置本体２２の所定モードへの切替えを自動的に行うことができる。また、本体側制御部３２は、タイマ部５１の計時状態に基づいて、猶予時間経過後には所定モードを自動的に解除することができる。さらに、この実施の形態３では、通信側制御部１７は、猶予時間情報の取得後直ちに、このタイマ部５１による監視条件の設定を行うため、実施の形態１又は実施の形態２に比して、記憶部１３に取得した猶予時間情報を保存しなくてもよく、それに加え、本体側制御部３２及び通信側制御部１７は、現在時刻情報を取得しなくてもよくなる。また、この実施の形態３においても、実施の形態１及び実施の形態２同様に、端末装置本体２２の本体側制御部３２に常に電源を供給する必要が無いため、蓄電部１０３の電力消費を節約できる。
【００８１】
〔実施の形態４〕
以下、本発明の実施の形態４に係る携帯端末装置について説明する。この実施の形態４は、（１）端末装置本体と通信手段とを備え、端末装置本体は、モードの切替えタイミングの到来を監視するためのタイマ手段と、端末装置本体を所定モードから解除する本体側制御手段とを有し、通信手段は、時間情報を外部装置から受信する受信手段と、受信された時間情報に基づいて、タイマ手段による切替えタイミングの到来を監視可能とするための所定制御を行う通信側制御手段とを有すること、及び、（２）記憶手段を備え、受信手段は、猶予時間情報を受信し、通信側制御手段は、猶予時間情報を記憶手段に記憶させると共に、当該猶予時間情報が記憶された旨を示す情報を記憶手段に設定した後、本体側制御手段を起動させ、本体側制御手段は、猶予時間情報が記憶された旨の情報が記憶手段に設定されている場合には、記憶手段にて記憶されている猶予時間情報をタイマ情報としてタイマ手段に監視させると共に、猶予時間情報が記憶された旨の情報に代えて所定の初期値を記憶手段に設定すること、等を主たる特徴とする。
【００８２】
図１１は、本実施の形態４に係る携帯端末装置４の構成を示す機能ブロック図である。図１１において、この携帯端末装置４は、制御通信部１８及び端末装置本体２３を備える。なお、特に説明なき構造及び処理については、上述した実施の形態１又は実施の形態３と同様であり、同一の構成及び処理を同一の符号を付して説明する。
【００８３】
（制御通信部の構成の概要）
制御通信部１８は、図示しない外部装置との間で無線通信を行うと共に、この無線通信によって取得した情報を必要に応じて記憶する通信手段であり、通信処理部１１と、通信側制御部１９と、記憶部１３とを有する（ここで、制御通信部１８及び通信側制御部１９は、特許請求の範囲における、通信手段、及び通信側制御手段にそれぞれ対応する）。
【００８４】
通信側制御部１９は、制御通信部１８の各部を制御する通信側制御手段であり、例えば、ＣＰＵやこのＣＰＵ上で実行されるプログラム等を用いて構成される。この通信側制御部１９は、通信処理部１１から時間情報Ｔである猶予時間情報を受信し、受信した猶予時間情報を記憶部１３に保存する。また、通信側制御部１９は、記憶部１３が記憶するフラグ情報を変更する。さらに、通信側制御部１９は、電源制御部１０５に対して本体側制御部３３への電力の供給を指示する。
【００８５】
（端末装置本体の構成の概要）
一方、端末装置本体２３は、本体側制御部３３、時刻情報出力部４０、タイマ部５１、移動体通信部６０、入力部７０、報知部８０、表示部９０、及び、電源部１０４を備える（ここで、端末装置本体２３及び本体側制御部３３は、特許請求の範囲における、端末装置本体及び本体側制御手段にそれぞれ対応する）。
【００８６】
このうち、本体側制御部３３は、端末装置本体２３の各部を制御する本体側制御手段であり、例えば、ＣＰＵやこのＣＰＵ上で実行されるプログラム等を用いて構成される。本体側制御部３３は起動後、制御通信部１８の記憶部１３の記憶するフラグ情報に基づいて、タイマ部５１の設定を行うか否か判断し、設定を行うと判断した場合、記憶部１３が記憶する猶予時間情報を取得する。そして、本体側制御部３３は、取得した猶予時間情報に基づいてタイマ部５１の設定を行った後、フラグ情報を変更し、停止状態になる。一方、タイマ部５１の設定を行わないと判断した場合、本体側制御部３３は、実施の形態３で説明したモード切替え処理を行う。
【００８７】
また、電源部１０４は、端末装置本体２３の各構成要素へ電源を供給する電源手段であり、電源キー１０１と、電源制御部１０５と、蓄電部１０３とを用いて構成される。電源制御部１０５は、電源キー１０１の受付ける起動指示又は停止指示に基づいて電源部１０４を制御し、端末装置本体２３の各構成要素への電力供給を制御する電源制御手段であり、例えば、ＩＣ回路等を用いて構成される。さらに、電源制御部１０５は、通信側制御部１９の指示に基づいて、本体側制御部３３への電力の供給を行う。また、電源制御部１０５は、端末装置本体２３の電源がＯＦＦであっても、電源部１０４からの給電等にて稼動しており、ユーザ及び通信側制御部１９の指示を受付ける。
【００８８】
（処理内容）
このように構成された携帯端末装置４による処理について、以下説明する。この処理は、（１）外部装置から猶予時間情報を取得すると共に、端末装置本体２３を起動させるための処理であって、主として制御通信部１８によって実行される時間情報設定処理と、（２）タイマ部の設定処理を行うための処理であって、主として一時的に起動された端末装置本体２３によって実行されるモード切替え処理とに大別される。これら各処理について、まず、ユーザが入場ゲートを通過した際には携帯端末装置４の電源をＯＦＦにしており、入場ゲートを通って領域に入場した後で電源をＯＮにした場合について説明する。また、領域内において携帯端末装置４に設定すべき所定モードを「スリープモード」として説明する。
【００８９】
（時間情報設定処理（入場時電源ＯＦＦ））
まず、制御通信部１８にて実行される時間情報設定処理について説明する。図１２は、時間情報設定処理のフローチャートである。ユーザが携帯端末装置４を保持して入場ゲートを通過する際、制御通信部１８の通信処理部１１は、入場ゲートに設置された外部装置から制御信号を受信する。この制御信号には、変調された猶予時間情報が含まれ、通信処理部１１は、この制御信号を受信すると共に、当該制御信号を復調して猶予時間情報を読取り、読取った猶予時間情報を通信側制御部１９に送出する。通信側制御部１９は、通信処理部１１が送出した猶予時間情報を受信し（ステップＳ７０１）、記憶部１３に保存する（ステップＳ７０２）。次に通信側制御部１９は、記憶部１３の保存するフラグ情報を変更する（ステップＳ７０３）。このフラグ情報とは、通信側制御部１９が新たに猶予時間情報を取得したか否かを判断する基準である。通信側制御部１９は、新たに猶予時間情報を受信した場合にのみこのフラグ情報を変更する。例えば、ここではフラグ情報を、０から１に変更する。さらに通信側制御部１９は、電源制御部１０５に対し、本体側制御部３３への電力供給を指示する（ステップＳ７０４）。以上が、通信側制御部１９の時間情報設定処理である。
【００９０】
（モード切替え処理（入場時電源ＯＦＦ））
次に、端末装置本体２３にて実行されるモード切替え処理について説明する。図１３は、モード切替え処理のフローチャートである。領域内で、通信側制御部１９からの電力供給の指示、又はユーザの電源キー１０１の押下に基づく電力供給の指示があった場合、電源制御部１０５は、蓄電部１０３の本体側制御部３３への電力供給を開始し、これによって本体側制御部３３が起動する。
【００９１】
このように起動した本体側制御部３３は、記憶部１３からフラグ情報を取得する（ステップＳ８０１）。本体側制御部３３は、受信したフラグ情報に基づいて、タイマ部５１の設定を行うか否かを判断する（ステップＳ８０２）。具体的には、フラグ情報が通信側制御部１９によって変更されているか否かで判断し、変更されている場合にタイマ部５１の設定を実行すると判断し（ステップＳ８０２，Ｙｅｓ）、変更されていない場合にタイマ部の設定を実行しないと判断する（ステップＳ８０２，Ｎｏ）。
【００９２】
例えば、フラグ情報が１である場合、フラグ情報は通信側制御部１９によって変更されているので、タイマ部５１の設定を実行すると判断し（ステップＳ８０２，Ｙｅｓ）、フラグ情報が０である場合、フラグ情報は通信側制御部１９によって変更されていないので、タイマ部５１の設定を実行しないと判断する（ステップＳ８０２，Ｎｏ）。このようなフラグ設定を行うのは、以下の理由による。すなわち、本体側制御部３３は、通信側制御部１９からの指示にて起動されたのか、あるいは、ユーザの電源投入にて起動されたのかを判断できない。このため、まずフラグ情報を見ることで、フラグ情報の変更があった場合には通信側制御部１９からの指示にて起動されたものと判断し、この場合には、記憶部１３に記憶された猶予時間情報に基づくタイマ設定を実行するようにした。
【００９３】
ステップＳ８０２においてタイマ部５１の設定を実行すると判断した場合（ステップＳ８０２,Ｙｅｓ）、本体側制御部３３は、記憶部１３から猶予時間情報を取得する（ステップＳ８０３）。そして、本体側制御部３３は、取得した猶予時間情報に基づき、タイマ部５１の監視条件の設定を行う（ステップＳ８０４）。これにより、タイマ部５１は、猶予時間情報の計時を開始する。ここで、本体側制御部３３は、端末装置本体２３の所定モードへの切替えを行わず、タイマ部５１の監視条件の設定のみ行う。さらに、本体側制御部３３は、記憶部１３の記憶するフラグ情報を変更する（ステップＳ８０５）。具体的には、本体側制御部３３は、通信側制御部１９によって変更されたフラグ情報を、変更される前の状態に戻す。例えば、フラグ情報を１から０に変更する。この変更の後、本体側制御部３３は再び停止状態へ移行する（ステップＳ８０６）。
【００９４】
一方、ステップＳ８０２において、タイマ部５１の設定を実行しないと判断した場合（ステップＳ８０２，Ｎｏ）、本体側制御部３３は、実施の形態３で説明したモード切替え処理を行う（ステップＳ８０７）。以上が、本体側制御部３３のモード切替え処理である。すなわち、ユーザが入場ゲートを通過した時には、フラグ情報が変更されているのでステップＳ８０２〜Ｓ８０６を実行してタイマ設定を行い、その後、ユーザにて携帯端末装置２の電源がＯＮにされた場合には、フラグ情報が変更されていないので（ステップＳ８０５で前の状態に戻されているので）、ステップＳ８０７に移行してモード切替え処理が行われる。そして、このモード切替え処理においては、実施の形態３と同様の効果が得られる。つまり、ユーザは、入場ゲートを通過してから、猶予時間が経過する前に携帯端末装置１の電源をＯＮにした場合には、この猶予時間が経過するまではスリープモード、猶予時間が経過した後には着信モード等にて、端末装置本体２０を使用することができる。
【００９５】
次に、ユーザが入場ゲートを通過した際に携帯端末装置４の電源を既にＯＮにしていた場合の処理について説明する。ただし、この処理は、入場時に電源がＯＦＦであった時の処理とほぼ共通しているため、以下では特に異なる手順についてのみ説明する。
【００９６】
（時間情報設定処理（入場時電源ＯＮ））
【００９７】
まず、制御通信部１８にて実行される時間情報設定処理について説明する。制御通信部１８の通信側制御部１９は、図１２のフローチャートで説明した時間情報設定処理を行う。ここで、端末装置本体２３はすでに起動状態であるため、図１２のステップＳ７０４における電源制御部１０５に対する電力供給の指示を行わない。それに代わり、通信側制御部１９は、本体側制御部３３に対し、報知情報を送出する。この報知情報とは、本体側制御部３３に対し、制御通信部１８が猶予時間情報を取得したことを報知する情報である。以上が、通信側制御部１９の時間情報設定処理のうち、入場時電源ＯＦＦの場合の処理と異なる手順についての説明である。
【００９８】
（モード切替え処理（入場時電源ＯＮ））
次に、端末装置本体２３にて実行されるモード切替え処理について説明する。ここでは、端末装置本体２３、及び端末装置本体２３の構成要素である本体側制御部３３は、すでに起動状態である。この状態において、本体側制御部３３は、通信側制御部１９の送出した報知情報を受信すると、図１３のフローチャートで説明したモード切替え処理と同様の処理を開始する。ここで本体側制御部３３が行うモード切替え処理は、図１３のフローチャートで説明したモード切替え処理と、以下の（１）〜（３）の点で異なる。フラグ情報の取得後、（１）本体側制御部３３は、図１３のステップＳ８０２におけるタイマ部の設定を実行するか否かの判断処理を行わず、タイマ部５１の設定を必ず実行する。（２）図１３のステップＳ８０６における停止状態への移行を行わず、（３）図１３のステップＳ８０７におけるモード切替え処理を行う。これは、実施の形態３の図１０で説明したモード切替え処理である。以上が、本体側制御部３３のモード切替え処理のうち、入場時電源ＯＦＦの場合の処理と異なる手順についての説明である。
【００９９】
（実施の形態４の効果）
このように本実施の形態４によれば、通信側制御部１９は、猶予時間情報を受信し記憶部１３に保存する。本体側制御部３３は、通信側制御部１９の指示に基づいて、一時的に起動し、記憶部１３の記憶する猶予時間情報に基づいてタイマ部５１による監視条件の設定を行うため、その後再び起動した本体側制御部３３は、タイマ部５１の計時状態に基づいて、端末装置本体２３の所定のモードへの切替えを行うことができる。また、本体側制御部３３は、タイマ部５１の計時状態に基づいて、猶予時間経過後には所定モードを自動的に解除することができる。さらに、この実施の形態４では、本体側制御部３３は、通信側制御部１９による猶予時間情報の取得後直ちに、猶予時間情報に基づいてタイマ部５１による監視条件の設定を行う。そのため実施の形態１又は実施の形態２に比して、本体側制御部３３及び通信側制御部１９は、現在時刻情報を取得する必要がない。また、この実施の形態４においても、実施の形態１〜３同様に、端末装置本体２３の本体側制御部３３に常に電源を供給する必要が無いため、蓄電部１０３の電力消費を節約できる。
【０１００】
（III）実施の形態に対する変形例
以上、本発明の各実施の形態について説明したが、本発明の具体的な構成及び方法は、特許請求の範囲に記載した各発明の技術的思想の範囲内において、任意に改変及び改良することができる。以下、このような変形例について説明する。
【０１０１】
［領域について］
領域は、駅構内及び映画館に限らず、任意の領域であってよい。領域は、公共の場所に限らず、例えば私有地等であってもよい。さらに領域は、例えば映画館の座席周辺のように、所定の領域の所定の部分であってもよい。
【０１０２】
［入場ゲートについて］
図１において、入場ゲートは領域の境界に設置されているが、これに限らず、領域の内部及び外部に設置されてもよい。
【０１０３】
［外部装置について］
外部装置の設置場所は入場ゲートに限らず、例えば、壁、床、天井等、構造物等のいずれの場所に設置してもよい。さらに、外部装置の設置位置は、領域の境界に限らず、領域の内部及び外部であってもよい。
【０１０４】
［携帯端末装置について］
上述した実施の形態１〜４において、端末装置本体２０，２１，２２，及び２３は携帯電話であったが、これに限らず、例えば、ポケベル等の通信機器でもよいし、通信機器に限らず、例えば、ＰＤＡ、コンピュータ、映像装置、音声装置、撮像装置、ゲーム装置等の情報装置であってもよい。
【０１０５】
また、上述した実施の形態１〜４では、ユーザが領域内で、携帯端末装置１，２，３，及び４の電源をＯＮにすることが前提であったが、タイマ部５０，５１等を用いて自動的にＯＮになるように設定されていることが前提であってもよい。また、この携帯端末装置１，２，３，及び４の電源は、この携帯端末装置１，２，３，及び４に搭載されているアプリケーションからの起動指示や、移動体通信部６０が通信網を介して受信した起動指示に基づいて、ＯＮになるように設定されていてもよい。上述したような場合において、電源制御部１０２，１０５は、それら起動指示及びタイマ部５０，５１からの情報に基づいて電源部１００，１０４を制御し、携帯端末装置１，２，３，及び４の各構成要素への電力供給を制御する。
【０１０６】
［制御通信部について］
上述した実施の形態１〜４で説明した制御通信部１０，１４，１６，及び１８は、無線ＩＣタグ又は、例えば、フェリカ、スイカ等の無線ＩＣカードであってもよい。制御通信部１０，１４，１６，及び１８の伝送媒体方式は、実施の形態１〜４で説明した電磁誘導方式に限らず、電磁結合方式、静電結合方式、マイクロ波方式、及び光方式であってもよい。また、実施の形態１〜４において、制御通信部１０，１４，１６，及び１８は電源を備えていないパッシブ型であったが、電源を備えるアクティブ型であってもよい。
【０１０７】
また、制御通信部１０，１４，１６，及び１８は、無線ＩＣタグ又は無線ＩＣカード以外の通信手段であってもよい。制御通信部１０，１４，１６，及び１８は、例えば、赤外線通信装置、光学情報読取装置等であってもよい。
【０１０８】
さらに外部装置と制御通信部１０，１４，１６，及び１８との間の通信距離は、短距離、中距離、及び遠距離のいずれでもよい。
【０１０９】
［本体側制御部について］
上述した実施の形態１〜４において、本体側制御部３０，３１，３２，及び３３は、端末装置本体２０，２１，２２，及び２３を所定モードである「スリープモード」に切替えるモード切替え処理を行ったが、これに限らず、端末装置本体２０，２１，２２，及び２３の所定の機能を制限するモードである限りにおいて、いかなるモードに切替えるモード切替え処理を行ってもよい。例えば、端末装置本体２０，２１，２２，及び２３がカメラ機能を備え、そのカメラ機能を制限する場合、「撮影禁止モード」を所定モードとしてもよい。
【０１１０】
また、上述した実施の形態１〜４において、本体側制御部３０，３１，３２，及び３３は、制御通信部１０，１４，１６，及び１８が時間情報Ｔの受信後、端末装置本体２０，２１，２２，及び２３の電源がＯＮである又は電源がＯＮにされた場合、端末装置本体２０，２１，２２，及び２３を所定モードに切替え、タイマ部５０，５１の計時終了後、端末装置本体２０，２１，２２，及び２３を所定モードから解除し、電源をＯＦＦする前のモードに戻していた。しかしこれに限らず、制御通信部１０，１４，１６，及び１８が時間情報Ｔを受信後、端末装置本体２０，２１，２２，及び２３の電源がＯＮである又は電源がＯＮにされた場合であっても、端末装置本体２０，２１，２２，及び２３を所定モードに切替えず、タイマ部５０，５１の計時終了後、端末装置本体２０，２１，２２，及び２３を所定モードに切替えてもよい。
【０１１１】
実施の形態４において説明した、入場時電源ＯＮである場合の端末装置本体２３にて実行されるモード切替え処理において、図１３のステップＳ８０１におけるフラグ情報の取得を行っていたが、これに限らず、行わなくてもよい。また、本体側制御部３３は、通信側制御部１９の送信した報知情報を受信するようにしていたが、これを行う代わりに、図１３のステップＳ８０１におけるフラグ情報の取得を、所定時間毎に繰返し行ってもよい。通信側制御部１９によって変更されたフラグ情報を取得するまで、このフラグ情報の監視を行う。この場合、実施の形態４において説明した、入場時電源ＯＮである場合の制御通信部１８にて実行される時間情報設定処理において、通信側制御部１９は本体側制御部３３に対し、報知情報を送出する必要はない。
【０１１２】
［タイマ部について］
タイマ部５０，５１は、本体側制御部３０，３１，３２，及び３３の送出した計時状態の送出の指示を受けて、本体側制御部３０，３１，３２，及び３３へ、その計時状態を送出しているが、これに限らず、タイマ部５０，５１が、自発的にその計時状態を本体側制御部３０，３１，３２，及び３３に送出するようにしてもよい。
【０１１３】
［制御通信部が受信する情報について］
実施の形態１の制御通信部１０は、猶予時間情報と受信時刻情報の両方を、外部装置から受信してもよい。また、実施の形態３の通信側制御部１７は、猶予時間情報を記憶部１３に保存していないが、これに限らず、猶予時間情報を記憶部１３に保存してもよい。
【０１１４】
上述した実施の形態１〜４をそれぞれ複数回行う場合、通信側制御部１２，１５，１７，及び１９の受信した猶予時間情報、受信時刻情報、又は解除時刻情報のそれぞれが、すでに前回の処理で記憶部１３に保存された猶予時間情報、受信時刻情報、又は解除時刻情報の対応する値と一致する場合、通信側制御部１２，１５，１７，及び１９は、これらの情報の保存を行わなくてもよい。さらに、実施の形態１において、今回受信した猶予時間情報＋今回受信した受信時刻情報＝前回受信した猶予時間情報＋前回受信した受信時刻情報である場合、通信側制御部１２は、今回受信した猶予時間情報及び今回受信した受信時刻情報を記憶部１３に保存しなくてもよい。このような処理を行う場合の効果は以下の通りである。すなわち、記憶部１３は、不揮発性の記憶手段であり、情報の保存に伴い劣化が生じる。そこで、上述したように、記憶部１３に対する情報の保存回数を減らすことによって、記憶部１３の寿命を延ばすことができる。
【０１１５】
さらに、上述した実施の形態１〜４において、通信側制御部１２，１５，１７，及び１９は、所定のモードに関する情報を、時間情報Ｔと共に外部装置から受信してもよい。ここで、所定のモードに関する情報とは、端末装置本体２０，２１，２２，及び２３の自己が取り得る複数のモードのうち、所定のモードを指定する情報である。通信側制御部１２，１５，１７，及び１９が所定のモードに関する情報として、例えば、「着信拒否モード」に対応する情報を取得した場合、本体側制御部３０，３１，３２，及び３３は、時間情報Ｔに基づいて、端末装置本体２０，２１，２２，及び２３を所定時間「着信拒否モード」に切替えるためのモード切替え処理を実行する。特に、端末装置本体２０，２１，２２，及び２３に対して制限したい機能が、領域毎に異なる場合、上述した処理は便利である。例えば、映画館においては端末装置本体２０，２１，２２，及び２３の着信音を制限でき、企業においては端末装置本体２０，２１，２２，及び２３のカメラ機能を制限できる。さらに、通信側制御部１２，１５，１７，及び１９は、この所定のモードを指定する情報を記憶部１３へ保存してもよい。
【０１１６】
また、上述した実施の形態１〜４において、通信側制御部１２，１５，１７，及び１９は、さらに強制解除情報を取得してもよい。この強制解除情報は、端末装置本体２０，２１，２２，及び２３を所定のモードから解除するタイミングが訪れていなくても、端末装置本体２０，２１，２２，及び２３を所定のモードから強制的に解除するための情報である。通信処理部１１は外部装置から、変調された強制解除情報を含む信号を受信し、この信号を復調して読取った強制解除情報を通信側制御部１２，１５，１７，及び１９に送出する。本体側制御部３０，３１，３２，及び３３は、この強制解除情報に基づいて、端末装置本体２０，２１，２２，及び２３を所定のモードから解除する処理を行う。このような処理によれば、例えば、端末装置本体２０，２１，２２，及び２３を所定のモードから解除するタイミングが訪れる前に、ユーザが領域から退場した場合、通信処理部１１が退場ゲートに設置された外部装置から受信した、変調された強制解除情報を含む信号に基づいて、本体側制御部３０，３１，３２，及び３３は、自動的に端末装置本体２０，２１，２２，及び２３を所定のモードから強制解除する。また、例えば、緊急事態等の理由により、ユーザが端末装置本体２０，２１，２２，及び２３を所定のモードから強制解除したい場合にも便利である。
【０１１７】
［タイマ情報について］
ここで、タイマ情報の具体的算定方法も、上述した実施の形態に限らず種々の異なる形態を取り得る。例えば、タイマ情報は、実施の形態１はタイマ情報＝受信時刻情報＋猶予時間情報−起動時刻情報、実施の形態２ではタイマ情報＝解除時刻情報−起動時刻情報として算定したが、タイマ情報＝起動時刻情報−受信時刻情報−猶予時間情報、あるいはタイマ情報＝起動時刻情報−解除時刻情報等のように算定してもよい。この場合、タイマ情報は、実施の形態１又は２の場合とは正負が逆転して算定されることになるので、図４のステップＳ２０４及び図７のステップＳ４０４における判断基準も正負を逆にし、タイマ情報が負の値の場合に切替えを実行すると判断し、負の値ではない場合（正の値又は零の場合）に切替えを実行しないと判断する。
【０１１８】
［フラグ情報について］
図１２のステップＳ７０３において、通信側制御部１９が、フラグ情報を０から１に変更する例を示したが、フラグ情報に限らず、新たな猶予時間情報が記憶部に記憶されたことを、起動された本体側制御部に認識させることができ得る限りにおいて、いかなる情報を用いても良い。例えば、フラグ情報に代えて、文字、記号等を用いてもよく、また値、文字、記号等の組み合わせを用いてもよい。さらに、ステップＳ８０５における本体側制御部３３によるフラグ情報の変更は、ステップＳ８０４とステップＳ８０６との間で実行されるものとして説明したが、これに限らず、ステップＳ８０２とステップＳ８０６との間であれば、いずれのタイミングで実行されても良い。ここで、本体側制御部３０，３１，３２，及び３３は、不揮発性記憶手段を有していてもよい。その場合、フラグ情報は本体側制御部３３の不揮発性記憶手段に保存されてもよく、保存されたフラグ情報は、通信側制御部１９及び本体側制御部３３によって変更される。
【０１１９】
ここで、上述したフラグ情報は、制御通信部１８が外部装置から猶予時間情報を受信したことを示しており、本体側制御部３３が起動された場合にこのフラグ情報を参照することにより、猶予時間情報が受信されたか否かを判断できる点で有用である。しかし、この利点が不要である場合、フラグ情報を省略してもよい。例えば、電源制御部１０５が、通信側制御部１９の電力供給の指示と、ユーザの電源キー１０１の押下とを区別して認識するようにしてもよく、これにより、電源制御部１０５は、ステップＳ８０２のタイマ部の設定の実行を行うか否かを判断することができるようになる。また、本体側制御部３３は、猶予時間情報の取得後、記憶部１３の記憶する猶予時間情報を消去するようにしてもよい。それによって、本体側制御部３３は、記憶部１３の猶予時間情報の記憶の有無を判断基準として、通信側制御部１９の電力供給の指示と、ユーザの電源キー１０１の押下とを区別して認識できようになる。
【図面の簡単な説明】
【０１２０】
【図１】本発明に係る携帯端末装置の使用状況を例示する説明図である。
【図２】実施の形態１に係る携帯端末装置の構成を示す機能ブロック図である。
【図３】図２に示す通信側制御部による時間情報設定処理のフローチャートである。
【図４】図２に示す本体側制御部によるモード切替え処理のフローチャートである。
【図５】実施の形態２に係る携帯端末装置の構成を示す機能ブロック図である。
【図６】図５に示す通信側制御部による時間情報設定処理のフローチャートである。
【図７】図５に示す本体側制御部によるモード切替え処理のフローチャートを示す図である。
【図８】実施の形態３に係る携帯端末装置の構成を示す機能ブロック図である。
【図９】図８に示す通信側制御部による時間情報設定処理のフローチャートを示す図である。
【図１０】図８に示す本体側制御部によるモード切替え処理のフローチャートである。
【図１１】実施の形態４に係る携帯端末装置の構成を示す機能ブロック図である。
【図１２】図１１に示す通信側制御部による時間情報設定処理のフローチャートである。
【図１３】図１１に示す本体側制御部によるモード切替え処理のフローチャートである。
【符号の説明】
【０１２１】
１，２，３，４，２００  携帯端末装置
１０，１４，１６，１８，６０  通信部
１１，６４  通信処理部
１１ａ，６４ａ    アンテナ
１２，１５，１７，１９  通信側制御部
１３  記憶部
２０，２１，２２，２３  端末装置本体
３０，３１，３２，３３  本体側制御部
４０  時刻情報出力部
５０，５１  タイマ部
６１  受話部
６２  送話部
６３  信号処理部
７０  入力部
８０  報知部
９０  表示部
１００，１０４    電源部
１０１      電源キー
１０２，１０５    電源制御部
１０３      蓄電部
２０１      入場ゲート
２０２      領域
２０３      外部装置
Ｔ    時間情報
【図１】
2006025158.tif 000003
【図２】
2006025158.tif 000004
【図３】
2006025158.tif 000005
【図４】
2006025158.tif 000006
【図５】
2006025158.tif 000007
【図６】
2006025158.tif 000008
【図７】
2006025158.tif 000009
【図８】
2006025158.tif 000010
【図９】
2006025158.tif 000011
【図１０】
2006025158.tif 000012
【図１１】
2006025158.tif 000013
【図１２】
2006025158.tif 000014
【図１３】
2006025158.tif 000015